(57)【特許請求の範囲】
【請求項１】
側面を有する導光板と、
前記導光板の側面に近接して配置された光源と、
前記導光板の角部を囲むようにかつ前記導光板と隙間を介して配置され前記光源を前記導光板に対し位置決めして保持する弾性材料からなる光源保持体と、
前記導光板と前記光源と前記光源保持体とを収納するフレームを備え、
前記フレームは、前記導光板の側面に対向し前記導光板の側面を保持する導光板収納部を有し、
前記光源保持体は、前記導光板収納部と対向する前記導光板の側面に対して前記導光板収納部よりも近接して配置される突起部を有し、
前記フレームは前記突起部を係止する突起保持部を有し、
前記突起部は前記導光板と前記フレームの前記突起保持部との間に介在
する
表示装置。
【発明の詳細な説明】
【技術分野】
【０００１】
本発明は、面状光源装置を備えた表示装置に関する。
【背景技術】
【０００２】
近年、液晶表示装置（Liquid Crystal Display：ＬＣＤ）は、その軽量性、薄型性などの利点により、各種用途に広く使用されている。
【０００３】
液晶表示装置は、液晶表示パネルを有し、液晶表示パネルは配線および電極が形成されたガラス基板と、対向基板が平行に配置され、両基板間に液晶が挟持されている。両基板の表面には偏光板がそれぞれ貼り付けられている。液晶表示パネルの表示領域は多数の画素から構成され、この各画素に表示画像に応じた信号が印加され、画像が表示される。この表示画像は液晶表示パネルの背面に設置された面状光源装置により光が照射されることにより、観察者によって視認される。
【０００４】
このように、液晶表示装置は、画素ごとに光の透過率が制御される液晶表示パネルと面状光源装置により構成される、いわゆる受光型の表示装置であり、この特性を利用した種々の用途に使用されている。
【０００５】
例えば、パソコン用のディスプレイや、産業用途に使用される装置類、車載の表示装置として使用されており、特に、車載用途においては広い温度範囲下と強い振動条件下で表示出来る表示装置が求められている。
【０００６】
しかし、従来の液晶表示装置における面状光源装置においては、導光板の温度伸縮を吸収するため、導光板とモールドフレーム間に隙間（以下、クリアランスとする）を設ける必要があり、振動や衝撃が加わった際に導光板がモールドフレーム内で移動し、がたつきによる衝突音を生じる原因となっていた。
【０００７】
上記の問題に関連した技術が、特許文献１〜３に示されている。特許文献１には、バックライトなどの熱源による部材の熱膨張によって生じる音を、部材間にシートや潤滑剤を挟むことにより軽減させる方法が示されている。特許文献２には、導光板と導光板位置決め用の突起部との間に、接触を規制する光学シートを配置する方法が示されている。特許文献３には、導光板位置決め用の爪と導光板を付勢する付勢手段を備えた方法が示されている。
【０００８】
【特許文献１】特開２００５−１０６８５８号公報
【特許文献２】特開２００６−６６１２７号公報
【特許文献３】特開２００１−３５２３５号公報
【発明の開示】
【発明が解決しようとする課題】
【０００９】
しかしながら、特許文献１に示されているような、シートや潤滑剤などを部材間に挟み込む方法については、シートなどの新たな材料を追加することによるコストの上昇や、シートや潤滑剤などでは弾力性が低く、衝突音が十分に抑制できない可能性がある。特許文献２に示されている、光学シートを部材間に挟み込む方法についても、特許文献１と同様に衝突音が十分に抑制できない可能性がある。特許文献３に関しては、付勢手段を新たに追加する必要があり、コストが上昇する。
【００１０】
この発明は上記のような問題点を解消するためになされたもので、振動時における導光板と周辺部材との衝突音を十分に抑制する表示装置を得る事を目的とする。
【課題を解決するための手段】
【００１１】
本発明に係る表示装置は、側面を有する導光板と、導光板の側面に近接して配置された光源と、導光板の角部を囲むようにかつ導光板と隙間を介して配置され光源を導光板に対し位置決めして保持する弾性材料からなる光源保持体と、導光板と光源と光源保持体とを収納するフレームを備え、フレームは、導光板の側面に対向し導光板の側面を保持する導光板収納部を有し、光源保持体は、導光板収納部と対向する導光板の側面に対して導光板収納部よりも近接して配置される突起部を有し、フレームは突起部を係止する突起保持部を有し、突起部は導光板とフレームの突起保持部との間に介在して構成される。
【発明の効果】
【００１２】
この発明は、ゴムなどの弾性材料で形成された光源保持体の突起部が、導光板収納部よりも導光板の側面に近接して配置されることにより、導光板ががたついた際に弾性材料である光源保持体と衝突することで、部品点数を増やすことなく導光板のがたつきによる衝突音を抑制することが可能となる。
【発明を実施するための最良の形態】
【００１３】
以下、この発明をその実施の形態を示す図面に基づいて具体的に説明する。
【００１４】
＜実施の形態１＞
（構成）
本実施の形態に係る液晶表示装置（表示装置）は、液晶表示パネルと面状光源装置より構成される。
【００１５】
液晶表示パネルは、配線および電極が形成されたガラス基板と対向基板が平行に配置され、両基板間に液晶が挟持される。両基板の表面には偏光板がそれぞれ貼り付けられる。また、液晶表示パネルの表示領域は多数の画素から構成され、この各画素に表示画像に応じた信号が印加され、画像が表示される。
【００１６】
図１は、本実施の形態に係る面上光源装置の概略構成を示す分解斜視図である。面状光源装置１０は、面状導光板（導光板）５、光学シート６、反射シート４、光源ユニット９を有し、上記全ての部材はリアフレーム（第１のフレーム）３に納められ、さらに上面からモールドフレーム７が被せられて形成される。
【００１７】
面状導光板５は、入射面１１が光源ユニット９に設置されるランプ１と向き合うように、ランプ１に近接して配置される。また、面状導光板５は入射面１１と略直交するように出射面１２が設けられ、出射面１２と対向する反出射面１３には光の伝搬方向を乱すための印刷ドットパターンが形成されている。なお、面状導光板５はアクリルやポリカーボネイトやガラスなどの透明体で構成されている。また、反出射面１３に設けられた印刷ドットパターンの代わりに、出射面１２または反出射面１３は粗面とされても良いし、微小な球面やプリズムなど光の伝搬方向を変化させる凹凸で構成されても良い。
【００１８】
光学シート６は面状導光板５の出射面１２に近接して設けられた拡散シートである。なお、光学シート６にはプリズムシートが用いられても良く、複数枚のシートで構成されていても良い。また、特に何も用いられなくても良い。
【００１９】
反射シート４は面状導光板５の入射面１１および出射面１２を除く面に近接して設けられ、反射率９０％以上の拡散反射材が用いられる。なお、反射シート４は銀蒸着シートなど正反射させるもので形成されても良い。
【００２０】
光源ユニット９はランプ１、光源保持体２およびリフレクタ８から構成され、ランプ１はリフレクタ８に覆われており、ランプ１としては線状光源等が用いられる。リフレクタ８はランプ１からの光を反射し入射面１１に入光させる機能を有しており、反射率９０％以上の拡散反射材を金属板に貼り合わせた材料が用いられる。なお、リフレクタ８は銀蒸着シートなどの正反射させるものや偏光反射させるものが貼り付けられて形成されても良く、塗装や鏡面加工された材料で形成されても良い。また反射シート４は延長されランプ１を覆うように折り曲げられても良い。
【００２１】
図２は光学ユニット９および面状導光板５をリアフレーム３に収納した状態における正面図、図３は図２のＡの拡大図である。図２および図３において、光源保持体２はランプ１の電極を覆うように設けられ、ランプ１を保持する。また、光源保持体２はランプ１をリアフレーム３および面状導光板５に対して位置決めする機能を有しており、面状導光板５の角部に配置され、弾性と絶縁性を有したシリコンゴムなどの弾性材料が用いられる。
【００２２】
リアフレーム３は、面状導光板５の側面１４に対向し面状導光板５の側面１４を保持する導光板収納部１６を有する。また、リアフレーム３の少なくとも一端部にはランプ１が配置され、ランプ１の端部である面状導光板５の角部には光源保持体２が配置される。光源保持体２は面状導光板５の角部を囲むように形成されており、面状導光板５の側面１４に沿って延在する突起部１５を有する。
【００２３】
また、リアフレーム３は導光板収納部１６に光源保持体２の突起部１５を係止する突起保持部１７を有し、突起部１５は面状導光板５と突起保持部１７との間に介在するように配置される。すなわち、光源保持体２は、導光板収納部１６と対向する面状導光板５の側面１４に対して、導光板収納部１６よりも近接して配置される突起部１５を有する。また、面状導光板５は熱膨張対策により側面１４と導光板収納部１６との間にクリアランス１８が設けられる。
【００２４】
（動作）
次に振動条件下における液晶表示装置の動作について、図２を基に説明を行う。上述したように面状導光板５の側面１４と導光板収納部１６との間にクリアランス１８が設けられており、振動時において面状導光板５はがたつき、周辺の部材に衝突する。このとき、横方向については、光源保持体２は導光板収納部１６よりも面状導光板５に近接して配置される突起部１５を有するため、面状導光板５は導光板収納部１６に衝突することはなく、光源保持体２と衝突する。
【００２５】
なお、入射面１１の反対の面１１ａとリアフレーム３との間にも面状導光板５の熱対策のためのクリアランスが設けられているため、振動時において面状導光板５と光源保持体２とが衝突する。
【００２６】
（効果）
弾性を有した光源保持体２の突起部１５を、面状導光板５と突起保持部１７の間に介在させることで、面状導光板５ががたついた際に衝突する面を弾性体とすることができるため、部品点数を増やすことなく、がたつきによる衝突音を抑制することが可能となる。また、ランプ１の破損を防止することも可能である。
【００２７】
＜実施の形態２＞
（構成）
図４は、本実施の形態における、面状光源装置１０の光源保持体２周辺部分を示す部分拡大図、図５は本実施の形態における面状光源装置１０を構成するモールドフレーム７の正面図である。
【００２８】
図２、３において本実施の形態２においては、モールドフレーム７に光源保持体２の突起部１５を係止する突起保持部１９を有する。また、突起部１５は面状導光板５と突起保持部１９との間に介在するように配置される。その他の構成は実施の形態１と同様のため、ここでの詳細な説明を省略する。
【００２９】
実施の形態１においては、突起部１５を係止する突起保持部１７をリアフレーム３の導光板収納部１６に形成させたが、本実施の形態２のようにモールドフレーム７などの他のフレームに形成されても良い。
【００３０】
（動作）
次に振動条件下における液晶表示装置の動作について、図３を基に説明を行う。実施の形態１と同様に、横方向については、光源保持体２は導光板収納部１６よりも面状導光板５に近接して配置される突起部１５を有するため、面状導光板５は導光板収納部１６に衝突することなく、光源保持体２と衝突する。
【００３１】
（効果）
面状光源装置１０の構成において、上述したようなモールドフレーム７に突起保持部１９が形成され、弾性を有した光源保持体２の突起部１５を面状導光板５と突起保持部１９の間に介在させることにより、面状導光板５ががたついた際に衝突する面を弾性体とすることができ、部品点数を増やすことなく、がたつきによる衝突音を抑制することが可能となる。
【図面の簡単な説明】
【００３２】
【図１】本実施の形態１に係る面状光源装置の分解斜視図である。
【図２】本実施の形態１に係る面状光源装置の正面図である。
【図３】本実施の形態１に係る面状光源装置の部分拡大図である。
【図４】本実施の形態２に係る面状光源装置の部分拡大図である。
【図５】本実施の形態２に係る面状光源装置を構成するモールドフレームの正面図である。
【符号の説明】
【００３３】
１  ランプ、２  光源保持体、３  リアフレーム、４  反射シート、５  面状導光板、６  光学シート、７  モールドフレーム、８  リフレクタ、９  光源ユニット、１０  面状光源装置、１１  入射面、１１ａ  面、１２  出射面、１３  反出射面、１４  側面、１５  突起部、１６  導光板収納部、１７，１９  突起保持部、１８  クリアランス。
【図１】
0005041943.tif 000002
【図２】
0005041943.tif 000003
【図３】
0005041943.tif 000004
【図４】
0005041943.tif 000005
【図５】
0005041943.tif 000006